(57)【要約】【課題】床レールにパネル下端を載置すると共にパネル上端は天井レールに嵌めて支持する間仕切り構造であって、素人であっても手軽に組立てることが出来る一方、安定した丈夫な間仕切り構造の提供。【解決手段】隣り合うパネル同士は側端に形成した凹部の突合わせ部３ａと凸部の突合わせ部３ｂが互いに嵌合して連結し、床レール１１はレール本体１２とレールカバー材１３の２ピースで構成し、レール本体１２に形成した受け１５に適当なスペーサ１９を置いてパネル１を載せ、レールカバー材１３をレール本体１２の取付け部１８にネジ止めしている。【選択図】        図１
2004150067.tif 000002
【特許請求の範囲】
【請求項１】
床レールにパネル下端を載置すると共にパネル上端は天井レールに嵌めて支持する間仕切り構造において、隣り合うパネル同士は側端に形成した凹部と凸部が互いに嵌合して連結し、床レールはレール本体とレールカバー材の２ピースで構成し、レール本体に形成した受けに適当なスペーサを置いてパネルを載せ、レールカバー材をレール本体の取付け部にネジ止めしたことを特徴とする間仕切り構造。
【請求項２】
床レールにパネル下端を載置すると共にパネル上端は天井レールに嵌めて支持する間仕切り構造において、隣り合うパネル同士は側端に形成した凹部と凸部が互いに嵌合して連結し、床レールはレール本体とレールカバー材の２ピースで構成し、レール本体は途中に受けを設けた側片と上端に受けを設けた支持片を底片から起立し、そして底片を延ばして取付け部を有し、該受けに適当なスペーサを置いてパネルの載せ、レールカバー材をレール本体の取付け部にネジ止めしたことを特徴とする間仕切り構造。
【請求項３】
上記パネルの側端には概略コ型断面の補強材を取付け、夫々の該補強材の突合せ部に凹部を凸部を設け、突合せ部を延ばして目地部を止着片に面して形成した請求項１、又は請求項２記載の間仕切り構造。
【発明の詳細な説明】
【０００１】
【発明の属する技術分野】
本発明は部品点数が少なくて、安価で、しかも全くの素人でも手軽に組立てが出来る間仕切り構造に関するものである。
【０００２】
【従来の技術】
図５は従来の間仕切り構造の横断面と縦断面を示している。パネル（イ）、（イ）は垂直に起立するスタッド（ロ）を間に介在して連結し、先端側にはエンドポスト（ハ）が該スタッド（ロ）を介在して連結している。又壁面（ニ）にはエンドレール（ホ）が取付けられて、壁面側パネル（イ）の側端が該エンドレール（ホ）に嵌入して壁面（ニ）と繋がっている。
【０００３】
パネル（イ）の側端には凹部が形成され、該凹部にスタッド（ロ）が嵌ってネジ止にて連結している。そして、床面（ヘ）には床レール（ト）がネジ止めにて敷設され、そして、床レール（ト）にセットしたアジャスター（チ）に巾木（リ）が載置されている。上記パネル（イ）はアジャスター（チ）によって適当な高さに調整された巾木（リ）に載って支持され、パネル上端は天井に取付けた断面コ型の笠木（ヌ）に嵌っている。
【０００４】
このように、パネル（イ）、（イ）・・・を配置して間仕切りを据付ける場合、床レール（ト）の取付け、アジャスター（チ）の高さ調整、そしてスタッド（ロ）の据付など、数多くの部品が用いられ、これらの部品を順序良く取付けしなくてはならない。図６はパネル（イ）、（イ）を連結するスタッド形態を示している具体例であるが、（ａ）は前記図５の間仕切り構造に用いているスタッド、（ｂ）のスタッドは２ピースで構成され、パネル据付け後にカバー材（ル）がネジ止めされてパネル側端を挟みこんで連結している。
【０００５】
（ｃ）はスタッド（ル）の両側にパネル（ワ）、（ワ）・・を据付けし、側端に設けた止着片をネジ止めして連結している。（ｄ）はスタッドに支持部材（カ）、（カ）を取着し、該支持部材（カ）、（カ）に設けているツメ（ヨ）、（ヨ）・・にパネル側端の止着片に形成したスリット穴を係止している。これらのほかにも色々なパネル連結形態が知られているが、スタッドを使用することでパネル間の連結強度が高く成り、間仕切りとしての安定度が向上するが、このような構造にて構成される間仕切りを素人が組み立てることは不可能である。
【０００６】
【発明が解決しようとする課題】
このように、従来の間仕切り構造には上記のごとき問題がある。本発明が解決しようとする課題はこれら問題点であり、より簡単な構造にて構成され、素人であっても手軽に組み立てることが出来る一方、安定した丈夫な間仕切り構造を提供する。
【０００７】
【課題を解決する為の手段】
本発明に係る間仕切り構造は、スタッドを用いないでパネル同士が直接突き合わされる連結構造と成っている。従って、パネルの一方側には凸部が形成され、反対側には凹部が形成されていて、パネルを連結する場合には一方のパネル側端に形成している凹部に、他方のパネル側端に形成している凸部が嵌合する。そして、該凹部及び凸部はパネル側端に設ける補強材にて形成し、該補強材を組合わせることでパネル側端の強度並びに連結した際の連結部の強度が向上する。
【０００８】
そして床面には床レールが敷設さてパネルが載置される、パネルの高さを調整する為に床レールとパネル下端との間にスペーサを挿入する。上記床レールはパネルを載置した状態で該スペーサを挿入することが出来るように２ピースで構成して片面側は開口し、高さ調整が出来たところで床レールの開口側にレールカバー材が取付けられる。又、天井にはコ型断面の天井レールが取付けられ、パネル上端は天井レールの両側片に挟まれて据付けられる。以下、本発明に係る実施例を図面に基づいて詳細に説明する。
【０００９】
【実施例】
図１は本発明に係る間仕切り構造を示す実施例であって、横断面と縦断面を表している。同図に示しているように、本発明では、パネル１，１・・間にスタッドを用いておらず、パネル同士が直接突き合わされて連結している。その為に、パネルの一方側端は凹部が形成され、他方側端には凸部が形成されていて、凹部に凸部が嵌合して連結されている。
【００１０】
図２は図１における隣り合うパネル１，１の突合せ部分を示す拡大図（Ａ部拡大図）であり、パネル側端には補強材２ａ、２ｂが取付けられている。該補強材２は突き合わせ部３が側端の正面に位置し、両側には側片部４，４が設けられ、側片部４，４はパネル表面材５，５の内側に密着して取付けられている。そして表面材５，５はパネル側端において垂直に屈曲した止着片６を有し、突合せ部３から外方向へ目地部７を止着片６に沿って延ばしている。
【００１１】
上記補強材２ａの突合せ部３ａは凹部と成っていて、他方の補強材２ｂの突合せ部３ｂは凸部を形成している。従って、隣り合うパネル１，１が突合された場合、同図に示すように突合せ部３ａ、３ｂが互いに嵌合し合って連結している。そして、突合せ部３ａ、３ｂから延びている目地部７，７・・は両パネル１，１間に目地空間を形成することになる。このように、本発明ではパネル側端に取付けた補強材に凹部と凸部を形成して、互いに嵌合させて連結することが出来る。
【００１２】
パネル１は垂直に据付けられるが、その上端は天井レール８と連結している。
図１におけるＢ部拡大図を図３に示しているように、天井レール８は下方を開口したコ型断面の長尺材であり、両側片９，９の間にパネル上端が嵌入し、パネル上方には調整空間１０が残されている。パネル１は所定の高さに調整されて、両側片９，９からネジ止めされている。
【００１３】
そして、パネル１は床面に敷設した床レール１１に載置され、所定の高さ調整がなされたところでネジ止めされるが、本発明では床レール１１にパネル１を載置した状態で高さの調整が可能な構造と成っている。前記図５に示している従来の間仕切り構造では、巾木（リ）にパネル（イ）を載置した状態での高さ調整は出来ず、その為にも素人は間仕切りを据付けることは容易でない。
【００１４】
図４は図１のＣ部拡大図を示しているが、床レール１１はレール本体１２とレールカバー材１３の２ピースで構成され、レールカバー材１３はレール本体１２にネジ止めされている。レール本体１２は片側に側片１４を垂直に延ばし、該側片１４の途中には受け１５を内側へ水平に突出し、そして側片１４と所定の間隔をおいて支持片１６を起立し、該支持片１６の上端を水平に屈曲して受け１５を設けている。側片１４の受け１５と支持片１４の上端に形成した受け１５は同じ高さに設けられている。
【００１５】
そして、レール本体１２は底片１７を延ばしてコ型に屈曲した取付け部１８を設けている。レールカバー材１３は上記取付け部１８にネジ止めされるが、パネル１をレール本体１２の受け１５，１５に載置して、高さを調整した後でレールカバー材１３が取付けられる。受け１５，１５にパネル１を載置した状態で、スペーサ１９，１９を間に介在して高さの調整が行なわれる。すなわち、レールカバー材１３が取付けられていない状態では開口し、スペーサ１９を挿入することが出来る。
【００１６】
そして、高さ調整が行なわれた後でレールカバー材１３を取付け出来る。又、レール本体１２の側片１４及びレールカバー材１３はパネル１にネジ止めされる。以上述べたように、本発明の間仕切り構造は、パネル側端を凹凸化することで互いに嵌合して連結し、パネルを支える床レールは２ピースで構成したものであり、次のような効果を得ることが出来る。
【００１７】
【発明の効果】
本発明の間仕切り構造はパネル側端を凹凸化していて、スタッドを間に介在することなく互いに嵌合して連結される。スタッドが無いことで、各パネルは床レールに載って互いに突き合わせるだけでよく、間仕切りの据付作業は非常に簡単となる。そして、パネル側端の凹部及び凸部は補強材に形成され、該凹部及び凸部を形成した補強材は強度が高く、パネルは丈夫になる。さらに、スタッドが無くても該補強材にてパネル連結部の強度が向上して丈夫で安定した間仕切りとなる。
【００１８】
又、パネルを支える床レールはレール本体とレールカバー材の２ピースで構成されるために、レール本体にパネルを載置した状態で間にスペーサを挿入して高さを調整することが出来る。高さ調整後にレールカバー材をネジ止めにて取付け出来る為に、従来のアジャスターにて高さ調整した巾木にパネルを載置する構造に比較して据付け作業は非常に簡単となる。すなわち、全くの素人であっても、本発明の間仕切りを据付出来る。
【図面の簡単な説明】
【図１】本発明の間仕切り構造であり、横断面と縦断面を示している。
【図２】図１のＡ部拡大図。
【図３】図１のＢ部拡大図。
【図４】図１のＣ部拡大図。
【図５】従来の間仕切り構造。
【図６】従来のパネル連結構造。
【符号の説明】
１  パネル
２  補強材
３  突合せ部
４  側片部
５  表面材
６  止着片
７  目地部
８  天井レール
９  側片
１０  調整空間
１１  床レール
１２  レール本体
１３  レールカバー材
１４  側片
１５  受け
１６  支持片
１７  底片
１８  取付け部
１９  スペーサ
【図１】
2004150067.tif 000003
【図２】
2004150067.tif 000004
【図３】
2004150067.tif 000005
【図４】
2004150067.tif 000006
【図５】
2004150067.tif 000007
【図６】
2004150067.tif 000008